(57)【要約】      （修正有）【課題】  積み重ねられた金属板の浮動を防止する。【解決手段】  金属板の上方のボルトは、金属板の通し穴の中を移動可能で、パレットの方向に移動可能に構成されている。積み重ね前に、案内カートリッジ６が、パレット４の穴７に嵌め込み、穴の中に、通しボルト５が下方に動いた場合に、通し尖端部８が嵌り込む。通しボルト５は、案内カートリッジ６を下方に動かす。通しボルト５は、上方に動いた場合に、案内カートリッジ６の上方の角が、金属板２の上側突き出る状態となった時に、案内カートリッジ６から切り離される。【選択図】  図１
2005041693.tif 000002
【特許請求の範囲】
【請求項１】
積み重ねられた金属板、特に変圧器鉄心鋼板を支持するための装置であって、これらの金属板は、貯蔵ロールから連続的に展開されて、その後長さと形状に合わせて切断されるとともに、それぞれ少なくとも一つの通し穴を有し、その際これらの金属板は、切断後に、運搬機でパレット上に積み重ねられ、これらの金属板の上方には、少なくとも一つの通しボルトが配備されており、このボルトは、その時点の金属板の通し穴の中を移動可能なように、そしてそれに続いてこの金属板とともにパレットの方向に移動可能なように構成されている装置において、
積み重ねを始める前に、少なくとも一つの案内カートリッジ（６）が、その時点のパレット（４）の穴（７）の中に嵌め込まれており、この穴の中には、通しボルト（５）が下方に動いた場合に、通しボルトの下方の端部に配備された通し尖端部（８）が嵌り込み、その際通しボルト（５）は、パレット（４）の穴（７）または既に積み重ねられている金属板（２）の通し穴（３）の中にある案内カートリッジ（６）を下方に動かすとともに、通しボルト（５）は、上方に動いた場合に、案内カートリッジ（６）の上方の角（１１）が、最後に積み重ねられた金属板（２）の上側（１２）の上に突き出る状態となった時に、案内カートリッジ（６）から自動的に切り離されることを特徴とする装置。
【請求項２】
案内カートリッジ（６）は、その上方の端部に、半径方向の穴（１３）の中を移動可能な三つの固定用ボール（１４）を有し、これらの固定用ボールは、静止位置において、同軸の穴（１５）の中を移動可能なピン（１６）によって、その外側の位置に支持されており、その際固定用ボール（１４）は、案内カートリッジ（６）の外側の周縁部（１７）の外に突き出ているとともに、これらの穴（１３）の端にある肩の部分（１８）で支持されていることを特徴とする請求項１に記載の装置。
【請求項３】
案内カートリッジ（６）の下方の端部には、ねじ込み部（２０）がねじ止めされており、このねじ込み部で、圧縮ばね（２１）はそれ自身を支持し、この圧縮ばねは、静止状態において、ピン（１６）を、その上方の位置に支持しており、その際ピン（１６）は、その下方に配置された部分（２２）を、ねじ込み部（２０）の穴（２３）の中に通していることを特徴とする請求項１または２に記載の装置。
【請求項４】
通し尖端部（８）は、その先端部を球形に形成されているとともに、固定用ボール（１４）は、通し尖端部がピン（１６）を穴（１５）の中に沈み込ませた場合に、この通し尖端部（８）の球形の部分（１９）の裏側に嵌り込むことを特徴とする請求項１から３までのいずれか一つに記載の装置。
【請求項５】
通しボルト（５）は、上方および下方に移動可能な把持機器（９）内に同軸に支持されていることを特徴とする請求項１から４までのいずれか一つに記載の装置。
【請求項６】
把持機器（９）には、取り外し機器（１０）が配備されており、通しボルト（５）が上方に動いた場合に、案内カートリッジ（６）が、この取り外し機器に当たり、通しボルト（５）と案内カートリッジ（６）とが切り離されることを特徴とする請求項１から５までのいずれか一つに記載の装置。
【請求項７】
取り外し機器（１０）は、それぞればね力により半径方向に移動可能である複数の部分から構成されることを特徴とする請求項６に記載の装置。
【発明の詳細な説明】
【技術分野】
【０００１】
この発明は、積み重ねられた金属板、特に変圧器鉄心鋼板を支持するための装置に関し、これらの板は、貯蔵ロールから連続的に展開されて、その後長さと形状に合わせて切断されるとともに、それぞれ少なくとも一つの通し穴を有し、その際これらの金属板は、切断された後に、運搬機でパレット上に積み重ねられ、これらの金属板の上方には、少なくとも一つの通しボルトが配備されており、このボルトは、その時点の金属板の通し穴の中を移動可能なように、そしてそれに続いてこの金属板とともにパレットの方向に移動可能なように構成されている。
【背景技術】
【０００２】
特許文献１により、それぞれ少なくとも二つの案内穴が規定されている、パレットを積み重ねるための機器が周知であり、この機器は、所定の位置に運ばれるパレットに対して垂直の方向を向いた少なくとも二つの案内ピンを持つ案内機器を有する。個々の金属板またはパレットを、互いに正確で、正しい位置に合わせることを可能とする機器を実現するために、これらの案内ピンは、パレットを運んで来た際には運搬機器の上方に有り、この運搬機器は、これらのパレットを水平な基板面上に積み重ねる場合に、下方に下ろすパレットと一緒に、これらの案内ピンを動かして、各パレットを別々に案内ピンによって個々に正しい位置に合わせ、そして案内ピンを元に戻すようにしている。
【０００３】
この機器は、更に、案内ピンを積み重ねたパレットの所から最初の位置に戻す時に、積み重ねたパレットを水平な基板面上に支持する支持機器を有する。しかし、この支持機器は、ばねを介して案内ピンと連結されているため、この案内ピンは、次の積み重ねようとしているパレットに対して、支持機器とともに、パレットの上方に居なければならないので、当然に、この支持機器は、一定の点から離れて上方に動かされる。
【０００４】
しかし、このことは、最も上のパレットが、一つのパレットの上に、または既に積み重ねられたパレットの積層体上に緩んだ形で存在するという欠点を有する。大抵は、最も上のパレットとパレットの積層体との間には、更に空気クッションが存在して、これは、縮小するのが非常に遅いので、最も上のパレットが、その位置から「浮動（wegschwimmen）」してしまうことが非常に頻繁に起こる。
【特許文献１】ドイツ特許第４３３８９８１号明細書
【発明の開示】
【発明が解決しようとする課題】
【０００５】
この発明の課題は、積み重ねられた金属板が、持続的にその状態で支持されるとともに、最も上に積み重ねられた金属板の「浮動」を防止する、前述した種類の装置を実現することである。
【課題を解決するための手段】
【０００６】
この課題は、この発明にもとづき、請求項１に挙げた特徴によって解決される。
【０００７】
この発明の目的に適った改善構成は、従属請求項において特徴が挙げられている。
【０００８】
この発明による装置は、とりわけ案内カートリッジによって、最も上の金属板ならびに既に積み重ねられた金属板の部分領域が、長時間に渡って一緒に支持され、その結果金属板の間に存在する空気クッションが縮小することができて、それによって特に最も上の金属板の「浮動」が発生し得ないようにするのに十分な時間があるという特徴を有する。
【発明を実施するための最良の形態】
【０００９】
この発明の別の利点は、この発明を実現した、図面に描かれた実施例にもとづく以下の記述から明らかとなる。
【００１０】
図示した装置１は、貯蔵ロール（図示されていない）から連続的に展開されて、その後長さと形状に合わせて切断されるとともに、それぞれ少なくとも一つの通し穴３を有する、積み重ねられた金属板２、特に変圧器鉄心鋼板を支持するための装置であり、金属板２を切断後に、運搬機でパレット４の上に積み重ねるための設備に用いられる。この場合、この金属板の上方には、すなわちこの金属板を磁気的にまたは真空を利用して支持する案内機器（図示されていない）の上方には、少なくとも一つの通しボルト５が配備されており、このボルトは、その時点の金属板２の通し穴３の中を、そしてそれに続いてこの金属板とともにパレット４の方向に移動可能なように構成されている。
【００１１】
この装置１は、少なくとも一つの案内カートリッジ６から構成され、この案内カートリッジは、最初にその時点のパレット４の穴７の中に嵌め込まれる。通しボルト５は、それが下方に動いた場合に、その下方の端部に配備された通し尖端部８を、この案内カートリッジ６の中に嵌め込む（図４ａと４ｂを参照）。この場合、通しボルト５は、パレット４の穴７の中に、あるいは金属板２が既に積み重ねられている場合には、その同軸に延びる通し穴３の中に、案内カートリッジ６を下方に動かす。通しボルト３が所定のとおりに進んだ後では、同時に通しボルト３に対する進捗制限器でもある、この通しボルトを同軸に取り囲む把持機器９は、積み重ねようとしている金属板２上に載ることとなる（図４ｃを参照）。通しボルト５が上方に動く場合、案内カートリッジ６は、自動的に切り離される。そのために、把持機器９には、取り外し機器１０が配備されており、通しボルト５が上方に動いた場合に、案内カートリッジ６が、この取り外し機器に当たり、通しボルト５と案内カートリッジ６とが切り離されるものである（図４ｄと４ｅを参照）。把持機器９は、完全に切り離すまで、最後に積み重ねられた金属板上に留まる。その後ようやく、通しボルト５と把持機器９は、それらの一番上方の位置に動く（図４ｆを参照）。
【００１２】
切り離された後に、案内カートリッジ６は、穴７または通し穴３の中を下方に、案内カートリッジ６の上方の角１１が最後に積み重ねられた金属板２の上側１２の上に突き出る程度になるまで、滑って戻る。そのために、案内カートリッジ６は、その上方の端部に、半径方向の穴１３の中を移動可能な三つの固定用ボール１４を有し（図３も参照）、これらのボールは、静止位置では、同軸の穴１５の中を移動可能なピン１６によって、外側の位置に支持されており、その際これらの固定用ボール１４は、案内カートリッジ６の外側の周縁部１７から突き出ており、これらの穴１３の端部における肩の部分１８で支持されている（図１，２，４ａ，４ｂ，４ｅおよび４ｆを参照）。通し尖端部８が案内カートリッジ６の中に入り込んで、それに続いてピン１６が下方に押し込まれることによって、固定用ボール１４が案内カートリッジ６の内側に進むことが可能となる。このために、通し尖端部８は、その先端部を球形に形成されており、そうすることによって固定用ボール１４は、通し尖端部８の球形の部分１９の裏に嵌り込むことができる。
【００１３】
案内カートリッジ６の下方の端部には、ねじ込み部２０がねじ止めされており、このねじ込み部で、圧縮ばね２１は、それ自身を支持しており、この圧縮ばねは、通しボルト５が引き出される時に、ピン１６を再び上方の静止位置に押し戻して、そこに支持する。このピン１６は、その下方に配置した部分２２を、ねじ込み部２０の同軸の穴２３に通しており、このねじ込み部で、初期ばね力を調整することができる。
【００１４】
通しボルト５と案内カートリッジ６の規定通りの切り離しを確実に行うために、取り外し機器１０は、それぞれ半径方向に移動可能な複数の部分から構成されており、その際これらの部分は、内側に対向して支え合うとともに、圧縮ばね２４によって外側に引っ張られる。取り外し機器１０の中心の穴２５は、有利には円錐形に形成され、その結果通しボルト５は、より容易に中心の穴２５の中に入り込むことができるとともに、これらの部分が、押し離されることとなる。
【図面の簡単な説明】
【００１５】
【図１】半面に一枚のパレットを、別の半面に既に積み重ねられた金属板を描いた、この発明による装置の縦断面図
【図２】図１の部分IIの拡大図
【図３】図１の線III-III における断面の拡大図
【図４ａ】金属板を積み重ねる場合の個々の段階における縦断面図
【図４ｂ】金属板を積み重ねる場合の個々の段階における縦断面図
【図４ｃ】金属板を積み重ねる場合の個々の段階における縦断面図
【図４ｄ】金属板を積み重ねる場合の個々の段階における縦断面図
【図４ｅ】金属板を積み重ねる場合の個々の段階における縦断面図
【図４ｆ】金属板を積み重ねる場合の個々の段階における縦断面図
【符号の説明】
【００１６】
１    装置
２    金属板
３    通し穴
４    パレット
５    通しボルト
６    案内カートリッジ
７    パレット４の穴
８    通し尖端部
９    把持機器
１０    取り外し機器
１１    案内カートリッジ６の上方の角
１２    金属板２の上側
１３    案内カートリッジ６の上方の端部にある半径方向の穴
１４    固定用ボール
１５    案内カートリッジ６の同軸の穴
１６    案内カートリッジ６のピン
１７    案内カートリッジ６の外側の周縁部
１８    穴１３の端部における肩の部分
１９    通し尖端部８の球形の部分
２０    ねじ込み部
２１    圧縮ばね
２２    ピン１６の下方に配置された部分
２３    ねじ込み部２０の同軸の穴
２４    圧縮ばね
２５    取り外し機器の中心の穴
II    図１の部分
III-III     図１の断面の線
【図１】
2005041693.tif 000003
【図２】
2005041693.tif 000004
【図３】
2005041693.tif 000005
【図４ａ】
2005041693.tif 000006
【図４ｂ】
2005041693.tif 000007
【図４ｃ】
2005041693.tif 000008
【図４ｄ】
2005041693.tif 000009
【図４ｅ】
2005041693.tif 000010
【図４ｆ】
2005041693.tif 000011